(57)【特許請求の範囲】
【請求項１】
支柱ブロックを複数個上下に積層して形成し、積層した支柱ブロック間に連結リングを介設すると共に連結リング周壁にブラケットを連設し、用途に応じてブラケットに各種部材を連結可能に構成してなる石材支柱の構造において、
前記支柱ブロック間に前記連結リングを介設するに際しては、同リングに上下方向に挿貫した連結アンカーの上下突出端を、積層する支柱ブロックの上端面及び下端面に埋設固着することにより行うことを特徴とする石材支柱の構造。
【請求項２】
支柱ブロックを複数個上下に積層して形成し、積層した支柱ブロック間に連結リングを介設すると共に連結リング周壁にブラケットを連設し、用途に応じてブラケットに各種部材を連結可能に構成してなる石材支柱の構造において、
前記連結リングの中央に中心孔を開設すると共に、積層する前記支柱ブロックの中央にもブロック中心孔を開設し、各支柱ブロックを積層するに際し各中心孔に主骨アンカーを挿貫することを特徴とする石材支柱の構造。
【発明の詳細な説明】
【０００１】
【発明の属する技術分野】
この発明は、石材支柱の構造に関する。
【０００２】
【従来の技術】
従来、石材支柱は、外観上、高級感を呈することができること、重量があり硬質であるために破損しにくいこと等の理由により、照明灯の支柱や、柵支柱、標識支柱、車乗入れ防止のための柵支柱等に幅広く利用される。
【０００３】
特に、最近は都市景観を重要視する傾向があり、石材支柱の需要は、年々増加している。
【０００４】
【発明が解決しようとする課題】
ところが、石材支柱には以下のような問題点があった。
【０００５】
（イ）  重量が大きいために搬送、管理に不便である。
【０００６】
（ロ）  低い支柱は問題がないが、高い支柱は折損等の問題があり、強度に不安があった。
【０００７】
（ハ）  ブロック石材を積層して支柱に形成する方法があるが、ブロック石材の連結構造が煩雑となり、外観上もスマートさがない。
【０００８】
（ニ）  石材支柱の組立作業時に、現場で石材支柱へ加工する作業を伴い、煩雑な現場作業を必要とする。
【０００９】
（ホ）  石材支柱の用途、設置場所等が異なる場合、規格品を予め工場で製造することが困難であることが多い。
【００１０】
【課題を解決するための手段】
この発明は、支柱ブロックを複数個上下に積層して形成し、積層した支柱ブロック間に連結リングを介設すると共に連結リング周壁にブラケットを連設し、用途に応じてブラケットに各種部材を連結可能に構成してなる石材支柱の構造において、前記支柱ブロック間に前記連結リングを介設するに際しては、同リングに上下方向に挿貫した連結アンカーの上下突出端を、積層する支柱ブロックの上端面及び下端面に埋設固着することにより行うことを特徴とする石材支柱の構造を提供せんとするものである。
【００１１】
また、この発明は、支柱ブロックを複数個上下に積層して形成し、積層した支柱ブロック間に連結リングを介設すると共に連結リング周壁にブラケットを連設し、用途に応じてブラケットに各種部材を連結可能に構成してなる石材支柱の構造において、前記連結リングの中央に中心孔を開設すると共に、積層する前記支柱ブロックの中央にもブロック中心孔を開設し、各支柱ブロックを積層するに際し各中心孔に主骨アンカーを挿貫することを特徴とする石材支柱の構造を提供せんとするものである。
【００１３】
【発明の実施の形態】
この発明では、支柱ブロックを上下に積層するに際し、各ブロック間に連結リングを介設しておく。
【００１４】
連結ブロックには、等間隔で穿設された雌ネジ孔が形成されており、同雌ネジ孔に雄ネジを形成した連結アンカーを螺着挿貫し、連結アンカーの上下端を突出させておく。
【００１５】
他方、各ブロックの上下端面には、連結アンカーを挿入して固定するアンカー孔を穿設している。
【００１６】
連結リングを各ブロック間に介設するに際しては、連結アンカーの突出した上下端を支柱ブロックのアンカー孔に挿入して接着剤等により埋設固着する。
【００１７】
このようにして、連結リングを各ブロック間に介設して固定することにより支柱ブロックの積層が行われる。
【００１８】
この際に、連結リングの周壁にブラケットを突設する。
【００１９】
ブラケットには、石材支柱の用途に応じて各支柱間に連繋するチェーンを連結したり、広告板や標示板を突設したりする。
【００２０】
また、積層する支柱ブロックの数が多く、高い支柱となる場合には支柱ブロックのブロック中心孔と連結リングの中央孔とに主骨アンカーを挿貫して倒伏防止をはかるものである。
【００２１】
【実施例】
この発明の実施例を図面にもとづき詳説する。
【００２２】
図１は、石材支柱Ａを示すものであり、同支柱Ａは、方形状の石素材の支柱ブロック１を上下に複数個積層して形成している。
【００２３】
図３、図４に示すように支柱ブロック１の間には、円形の連結リング２を介設しており、連結リング２は一定原料の円形鋳造金属板を用いており、周辺に近い位置に等間隔で四個の雌ネジ孔３を穿設しており、かかる雌ネジ孔３を残して連結リング２の中央部分には空洞４を形成している。
【００２４】
すなわち、空洞４は円形の連結リング２の中央部分及び各雌ネジ孔３間に入り込む形状となっている。
【００２５】
連結リング２の雌ネジ孔３には、雄ネジに形成した連結アンカー５が螺着されており、連結アンカー５の上下端は、連結リング２の上下面より突出する長さとしている。
【００２６】
支柱ブロック１の上下端面には連結アンカー５が挿入されるアンカー孔６が四個連設されており、各支柱ブロック１間に連結リング２を介設した場合に連結アンカー５の上下突出端がアンカー孔６中に挿入されるようにしている。
【００２７】
なお、アンカー孔６中には予め接着樹脂、例えばエポキシ樹脂を充填しておき、アンカー孔６中で連結アンカー５が固着されるようにしている。
【００２８】
図５に示すように支柱ブロック１は、基部ブロック1-1 、中間ブロック1-2 、頭部ブロック1-3 よりなり、基部ブロック1-1 の底面にはアンカーボルト７が突設されており、同ボルト７は石材支柱Ａを立設する基盤Ｂに固定される。
【００２９】
連結リング２は円形であり、方形状の支柱ブロック１の周縁内におさまる大きさに形成されている。
【００３０】
また、石材支柱Ａを多数重ねて背の高い支柱ブロック１を構成する場合には、次のように構成される。すなわち図４に示すように連結リング２の中央には空洞４が形成され、その空洞４の中心には、中心孔４′が形成されており、また、この中心孔４′と相対する支柱ブロック１の中央位置には図５に示すように、縦孔のブロック中心孔Ｓが形成され、背の高い支柱ブロック１とする場合には、ブロック中心孔Ｓと中心孔４′とに一本の主骨アンカーＭが挿貫されて、多数の支柱ブロック１と連結リング２とを一体的に支持するように構成している。
【００３１】
連結リング２の外周壁にはブラケット８が突設されるように構成されており、ブラケット８は、一定の間隔で並設した左右の半円形状の突板９と左右の突板９の後端中央に架設した取付孔12付の連結板10とよりなる。
【００３２】
連結板10の背面は、円形の連結リング２の外周面に沿った半円弧状に形成しており、またブラケット８を突設する支柱ブロック１の面には、半円形状の突板９の後端面が嵌入される二本の縦溝11が形成されている。
【００３３】
すなわち、ブラケット８を突設するに際しては、ブラケット８の突板９の後端縁を支柱ブロック１の縦溝11中に嵌入しながら連結板10の背面を連結リング２の外周面に当接し、取付孔12からタップねじ13を螺入して連結リング２を螺着するものである。14は、連結リング２の周壁に形成したねじ孔である。
【００３４】
左右突板９中央には連結孔15を形成しており、この連結孔15を介して左右の突板９間には枢軸を架設しており、この枢軸には石材支柱Ａ間に架設するバーやチェーン等の連繋ブラケット17が連結される。
【００３５】
Ｃは図３に示すように、各石材支柱Ａ間に架設したバーであり、バー以外にも図７に示すように、連結リング２に取付杆８′を介して看板Ｄに突設する場合がある。
【００３６】
また、図８〜図１１に示すのは、連結リング２の他の実施例であり、図８に示すのは、上側リング20と下側リング21との組合わせよりなり、図９に示すように上側リング20は上層の支柱ブロック１の底面に、下側リング21は下層の支柱ブロック１の上面にそれぞれボルト22で固着し、上側リング20の垂下周壁20′を下側リング21の立上周壁21′に嵌着して組付けをするものであり、上側リング20と下側リング21とを連結固定するためには各リング20,21 の周壁に形成したねじ孔23にブラケット８の連結板10を取付けるボルト24で螺着することにより行う。33は、支柱ブロック１のアンカー孔６中に嵌入固着する連結アンカー５を挿貫する孔を示す。
【００３７】
図１０に示すのは、下側リング21が円形ではなく扇形としたものを示し、図１１に示すのは上側リング20は、環体の周壁20′の四方に突片25を突設し、突片25に連結アンカー５のための孔と、突片25周面に形成したねじ孔23とを設けている。
【００３８】
【発明の効果】
請求項１の発明によれば、支柱ブロック間に連結リングを介したので、石材支柱をいくつかに分解して、これを連結リングで連結することができ、支柱ブロックの搬送に便利で、かつ組立てに際しても大きな重量負荷がないために作業性がよく、また、連結リングにはブラケットを介して各種部材、例えば石材支柱間のバーや、看板等を突設することができ、全体としての美感も向上できる効果を有する。
【００３９】
特に、支柱ブロックの連結は、連結リングの上下に突設した連結アンカーを支柱ブロックの上下端面に埋設することにより行うため、確実にかつ簡単に各支柱ブロックの連結が可能となる効果を奏する。
【００４０】
また、請求項２の発明によれば、さらに、支柱ブロックを多数重ねて背の高い石材支柱を構成する場合には、支柱ブロックと連結リングとの中心部を挿貫する主骨アンカーにより支柱全体を支持することになるため背の高い支柱の強度を工場することができる効果を有する。
【図面の簡単な説明】
【図１】本発明の石材支柱の構造の正面図。
【図２】同平面図。
【図３】同斜視図。
【図４】図１のI-I 線の断面図。
【図５】図２のII-II 線の断面図。
【図６】本発明構造の分解説明図。
【図７】他の使用状態を示す説明図。
【図８】本発明構造に用いる連結リングの他の実施例の分解説明図。
【図９】同使用状態の説明図。
【図１０】連結リングの他の実施例の分解説明図。
【図１１】連結リングの他の実施例の分解説明図。
【符号の説明】
Ａ  石材支柱
Ｂ  基盤
Ｃ  バー
Ｄ  看板
１  支柱ブロック
1-1   基部ブロック
1-2   中間ブロック
1-3   頭部ブロック
２  連結リング
３  雌ネジ孔
４  空洞
５  連結アンカー
６  アンカー孔
７  アンカーボルト
８  ブラケット
９  突板
10  連結板
11  縦溝
12  取付孔
13  タップねじ
14  ねじ孔
15  連結孔
17  連繋ブラケット
【図１】
0003958444.tif 000002
【図２】
0003958444.tif 000003
【図３】
0003958444.tif 000004
【図４】
0003958444.tif 000005
【図５】
0003958444.tif 000006
【図６】
0003958444.tif 000007
【図７】
0003958444.tif 000008
【図８】
0003958444.tif 000009
【図９】
0003958444.tif 000010
【図１０】
0003958444.tif 000011
【図１１】
0003958444.tif 000012